(57)【特許請求の範囲】
【請求項１】
鍵と、演奏者側から見て左右方向に伸びるセンターレールと、当該センターレールに回動可能に軸止されて当該鍵の後端部の上にのっているウィッペンと、当該ウィッペンに回動可能に軸止されたジャックと、当該ジャックによって突き上げられるバットと、当該バットによって支承されたハンマーと、当該ハンマーが打つ弦と、を有し、
前記センターレールの長手方向に連続する案内部材が、前記センターレールに固定されており、
前記案内部材は、前記案内部材に沿ってスライド可能な被案内部材を有し、前記バットが回動可能に軸止されたバットフレンジが、当該被案内部材に固定されており、
前記被案内部材は、接続部材を介して突き上げ棒に接続されており、当該突き上げ棒はペダルに接続されており、
弾性部材が、前記被案内部材を、演奏者側から見て左右いずれかの向きに付勢しており、
演奏者が前記ペダルに加える力が、前記突き上げ棒と前記接続部材とを介して、前記弾性部材が付勢する向きと逆向きの力となって前記被案内部材に働くことを特徴とするアップライトピアノのアクション。
【請求項２】
前記ジャックは、前記バットを突き上げる突き上げ部を有し、
前記バットは、前記突き上げ部に突き上げられる被突き上げ部を有し、
演奏者が前記鍵と前記ペダルとに加える力が零である状態において、演奏者側から見て、前記突き上げ部の突端の右側縁が、前記被突き上げ部の右側縁の直下に位置するか、あるいは、前記被突き上げ部の右側縁よりも右側に位置しており、
演奏者が前記鍵と前記ペダルとに加える力が零である状態において、演奏者側から見て、前記突き上げ部の突端の左側縁が、前記被突き上げ部の左側縁の直下に位置するか、あるいは、前記被突き上げ部の左側縁よりも左側に位置していることを特徴とする請求項１に記載のアップライトピアノのアクション。
【請求項３】
前記ジャックは、前記バットを突き上げる突き上げ部を有し、
前記バットは、前記突き上げ部に突き上げられる被突き上げ部を有し、
演奏者が前記鍵に加える力が零である状態において、演奏者側から見て、前記突き上げ部の突端の右側縁が、前記被突き上げ部の右側縁の直下に常に位置するか、あるいは、前記被突き上げ部の右側縁よりも右側に常に位置しており、
演奏者が前記鍵に加える力が零である状態において、演奏者側から見て、前記突き上げ部の突端の左側縁が、前記被突き上げ部の左側縁の直下に常に位置するか、あるいは、前記被突き上げ部の左側縁よりも左側に常に位置していることを特徴とする請求項１に記載のアップライトピアノのアクション。
【請求項４】
前記バットと、前記バットから演奏者側に伸びるキャッチャーシャンクと、当該キャッチャーシャンクの先端に固定されたキャッチャーと、が、第１の集合体をなし、
前記ウィッペンにブライドルワイヤが立設されており、
ブライドルテープが、前記第１の集合体と、前記ブライドルワイヤと、の間を接続しており、
前記ブライドルワイヤにおいて、前記ブライドルテープが接続されている位置が、第１の接続位置をなし、
前記第１の集合体と、前記ブライドルワイヤと、の間において前記ブライドルテープのたるみが零である状態において、前記ブライドルテープの前記第１の集合体に接触する部位のうちで最も前記第１の接続位置に近い位置が、第１の接触位置をなし、当該第１の接触位置に接触する前記第１の集合体のなかの位置が、第２の接触位置をなし、
前記第１の接続位置と、前記第１の接触位置との間における前記ブライドルテープの長さが、第１の長さをなし、
演奏者が前記鍵と前記ペダルとに加える力が零である状態において、前記ブライドルテープが存在しないと仮定したときの前記第１の接続位置と、前記第２の接触位置と、の間の距離が、第１の距離をなし、
演奏者が前記ペダルに力を加えることによる前記被案内部材のスライド距離が最大となり、且つ、演奏者が前記鍵に加える力が零である状態において、前記ブライドルテープが存在しないと仮定したときの前記第１の接続位置と、前記第２の接触位置と、の間の距離が、第２の距離をなし、
前記ハンマーが前記弦を打つ瞬間であり、且つ、演奏者が前記ペダルに加える力が零である状態において、前記ブライドルテープが存在しないと仮定したときの前記第１の接続位置と、前記第２の接触位置と、の間の距離が、第３の距離をなし、
前記ハンマーが前記弦を打つ瞬間であり、且つ、演奏者が前記ペダルに力を加えることによる前記被案内部材のスライド距離が最大となった状態において、前記ブライドルテープが存在しないと仮定したときの前記第１の接続位置と、前記第２の接触位置と、の間の距離が、第４の距離をなし、
前記第１の長さが、前記第１の距離と、前記第２の距離と、前記第３の距離と、前記第４の距離と、のうちの最長距離に１〜１．０３の値を乗じた長さであることを特徴とする請求項１から請求項３のうちのいずれかの請求項に記載のアップライトピアノのアクション。
【請求項５】
鍵と、演奏者側から見て左右方向に伸びるセンターレールと、当該センターレールに回動可能に軸止されて当該鍵の後端部の上にのっているウィッペンと、当該ウィッペンに回動可能に軸止されたジャックと、当該ジャックによって突き上げられるバットと、当該バットによって支承されたハンマーと、当該ハンマーが打つ弦と、を有し、
前記センターレールの長手方向に連続する案内部材が、前記センターレールに固定されており、
前記案内部材は、前記案内部材に沿ってスライド可能な被案内部材を有し、前記バットが回動可能に軸止されたバットフレンジが、当該被案内部材に固定されており、
前記被案内部材は、接続部材を介して突き上げ棒に接続されており、当該突き上げ棒はペダルに接続されており、
弾性部材が、前記被案内部材を、演奏者側から見て左右いずれかの向きに付勢しており、
演奏者が前記ペダルに加える力が、前記突き上げ棒と前記接続部材とを介して、前記弾性部材が付勢する向きと逆向きの力となって前記被案内部材に働くようになっているアクション、を有するアップライトピアノ。
【発明の詳細な説明】
【技術分野】
【０００１】
本発明は、アップライトピアノのアクションに関する。
【背景技術】
【０００２】
先ず、以下の説明において使用する用語を定義する。特に断らない限り、向きは、演奏者側からアップライトピアノを見たときの向きである。すなわち、「前」、「後」、「左」、「右」とは、演奏者側から見たときのアップライトピアノの前、後、左、右である。「時計回り」あるいは「反時計回り」とは、演奏者側からアップライトピアノを見たときの時計回りあるいは反時計回りである。「静止状態」とは、「演奏者が鍵に加える力が零である状態」であり、「鍵の演奏者側前端部が最高位置まで上昇した状態」でもある。「休止状態」とは、「鍵が静止状態となっているアクションの状態」である。「ペダルの作動状態」とは、「演奏者がペダルに力を加えた状態」である。「ペダルの解放状態」とは、「演奏者がペダルに加える力が零である状態」である。【０００３】
通常のアップライトピアノは８８個のアクションを有する。それぞれのアクションが、鍵、ウィッペン、ジャック、バット、ハンマー及び弦を有する。
また、通常のアップライトピアノはソフトペダルを有する（特許文献１を参照）。ソフトペダルは天秤と突き上げ棒とを介してハンマーアンダーレールに連結されている。ハンマーアンダーレールはハンマーレールに回動可能に軸止されている。アクションが休止状態となっているとき、ハンマーはハンマーアンダーレールに当接している。【０００４】
バットフレンジがセンターレールに固定されている。バットがバットフレンジに回動可能に軸止されている。バットがハンマーを支承している。また、バットがキャッチャーシャンクを介してキャッチャーを支承している。
ウィッペンがセンターレールに回動可能に軸止されている。ジャックがウィッペンに回動可能に軸止されている。ジャックの突端はバットの被突き上げ部を突き上げ可能に構成されている。ブライドルワイヤとバックチェックワイヤがウィッペンに立設されている。バックチェックがバックチェックワイヤの先端に固定されている。【０００５】
弦は１〜３本のピアノ線によって構成されている。
アップライトピアノのアクションはブライドルテープを有する（特許文献２を参照）。ブライドルテープはアップライトピアノに固有の部品である。グランドピアノはブライドルテープを有しない。ブライドルテープはキャッチャーとブライドルワイヤとを接続している。より詳細に述べれば、ブライドルテープの後端部が、キャッチャーとキャッチャーシャンクとの境目に接続されている。そして、ブライドルテープの前端部が、ブライドルワイヤの先端部分に接続されている。【０００６】
なお、特に断らない限り、以下、「ブライドルテープの長さ」あるいは「ブライドルテープが有する長さ」とは、「ブライドルテープがキャッチャー側に接続されている位置と、ブライドルテープがブライドルワイヤに接続されている位置と、の間におけるブライドルテープの長さ」である。特に断らない限り、以下、「ブライドルテープが有するべき最小限の長さ」という場合も、同じである。【０００７】
アクションが休止状態となっているときに、演奏者が鍵に力を加え、鍵を押し下げる。ウィッペンが上方に回動し、ジャックがバットを突き上げ、ハンマーが後方に回動する。そして、ジャックがバットの下から離脱し、ハンマーが鍵の動きから切り離される。ハンマーは慣性力により後方に回動し、弦を打つ。
弦を打ったハンマーは前方に回動する。そして、バックチェックがキャッチャーを捕らえ、ハンマーは静止する。【０００８】
次いで、演奏者が鍵を離す。ウィッペンが下方に回動し、バックチェックがキャッチャーを離す。ウィッペンがさらに下方に回動し、ブライドルワイヤはウィッペンと共に下方に回動する。キャッチャーとブライドルワイヤとの間の距離が広がり、ブライドルテープがバットを前方に引っ張る。バットがハンマーと共に前方に回動する。回動したハンマーはハンマーアンダーレールに当接する。バックチェックがキャッチャーを離してからハンマーがハンマーアンダーレールに当接するまでの所要時間は、Ｔ1である。
また、ウィッペンが下降すると、ジャックがバットの下に入る。そして、アクションは休止状態に復帰する。【０００９】
演奏者が鍵を押し下げると、ジャックの突き上げ部の突端がバットの被突き上げ部を突き上げる。ジャックの突き上げ部の突端は木やプラスチックによって形成されている。このため、突き上げ部の突端は硬い。バットの被突き上げ部はフェルトや皮で覆われている。このため、被突き上げ部は柔らかい。被突き上げ部において、突き上げ部の突端が当たる部位は時間の経過にしたがって潰れて薄くなる。そして、被突き上げ部において、突き上げ部の突端が当たる部位と、突き上げ部の突端が当たらない部位と、の境目に、段差が生じる。【００１０】
演奏者がソフトペダルを踏み込むと、ソフトペダルが解放状態から作動状態になる。ソフトペダルが天秤を介して突き上げ棒を突き上げ、突き上げ棒がハンマーアンダーレールを突き上げる。そして、ハンマーアンダーレールが後方に回動する。ハンマーはハンマーアンダーレールに押されて後方に回動し、弦に近づく。したがって、演奏者がソフトペダルを踏み込むと、弦を打つときのハンマーの回動距離が短くなる。ハンマーの回動距離が短くなると、ハンマーが弦を打つことによって生じる音が弱くなる。演奏者はソフトペダルを使って音に強弱をつけることができる。【００１１】
以下の説明において、「状態ａ」とは、「アクションが休止状態となっており、且つ、ソフトペダルが解放状態となっている状態」である。また、「状態ｂ」とは、「アクションが休止状態となっており、且つ、ソフトペダルが作動状態となっている状態」である。
状態ａにおいて、演奏者がソフトペダルを踏み込む。ハンマーがバットと共に後方に回動し、キャッチャーがブライドルワイヤから遠ざかる。この状態が状態ｂである。状態ｂにおいて、キャッチャーとブライドルワイヤとの間の距離がＤ9である。距離Ｄ9は、従来あるブライドルテープが有するべき最小限の長さＬB1を決定する要素である。【００１２】
長さＬB1は、状態ｂにおいて、ブライドルテープのたるみが零である長さである。そして、長さＬB1は、状態ｂにおいて、ブライドルテープがバットを前方に引っ張らない長さである。
ブライドルテープの長さがＬB1未満である場合、以下の不具合が生じる。
状態ａにおいて、演奏者がソフトペダルを踏み込むと、ハンマーとバットが後方に回動する。このとき、バットがブライドルテープを引っ張る。そして、ブライドルテープがウィッペンを上方に引っ張り上げ、ウィッペンが上方に回動する。この結果、演奏者の意図に関係なく、鍵の後端部が勝手に上昇し、鍵の前端部が勝手に下降する。
したがって、ブライドルテープは少なくともＬB1の長さを有する。
【先行技術文献】
【特許文献】
【００１３】
【特許文献１】特開２００７−２９３０９８号公報
【特許文献２】特開２００８−２５６７８７号公報
【発明の概要】
【発明が解決しようとする課題】
【００１４】
上記したアップライトピアノには、以下の問題点が存在する。
演奏者のソフトペダルの使用は、ハンマーが打つピアノ線の本数と関係がない。ハンマーが打つピアノ線の本数は常に同じである。演奏者がソフトペダルを使うことの効果は、音に強弱がつくことだけである。音色は変わらない。したがって、音色が単調になる。これに対して、グランドピアノにおいて、演奏者がソフトペダルを踏み込むと、音色が変わる。このため、表現力において、アップライトピアノはグランドピアノに劣る。【００１５】
ハンマーはハンマーヘッドとハンマーシャンクとにより形成されている。ハンマーヘッドが弦を打つ。アップライトピアノにおいて、ハンマーヘッドは常に同じ部位を用いて弦を打つ。このことも、表現力において、アップライトピアノがグランドピアノに劣る原因である。
前述したように、ハンマーが弦を打った後、バックチェックがキャッチャーを捕らえる。この後、ブライドルテープがハンマーを前方に引き戻す。【００１６】
バックチェックがキャッチャーを捕らえたとき、キャッチャーとブライドルワイヤとの間の距離は距離Ｄ9よりも短い。このため、ブライドルテープがたるむ。ブライドルテープがバットを引っ張る際、ブライドルテープのたるみが邪魔になる。ウィッペンが下方に回動すると、キャッチャーとブライドルワイヤとの間の距離が広がる。そして、たるみがブライドルテープから除去され、ブライドルテープがバットを引っ張る。【００１７】
ブライドルテープからたるみを除去するために、ウィッペンが下方に回動しなければならない。この回動に時間がかかる。バックチェックがキャッチャーを離してからブライドルテープがバットを引っ張るまでの所要時間は、Ｔ2である。時間Ｔ2が原因となって時間Ｔ1が長くなる。時間Ｔ2が、アップライトピアノにおいて同じ鍵の連打性能が悪くなる原因である。【００１８】
本発明者が知る実験例によれば、アップライトピアノにおいて、同じ鍵の連打性能は７回／秒であった。これに対して、グランドピアノにおいて、同じ鍵の連打性能は１４回／秒であった。
本発明は、上記問題を解決するものであり、その目的とするところは、豊かな音色の変化を表現可能であり、同じ鍵の連打性能を向上可能なアップライトピアノのアクションを提供することである。
【課題を解決するための手段】
【００１９】
本発明は、その課題を解決するために以下のような構成をとる。請求項１の発明に係るアップライトピアノのアクションは、鍵と、演奏者側から見て左右方向に伸びるセンターレールと、当該センターレールに回動可能に軸止されて当該鍵の後端部の上にのっているウィッペンと、当該ウィッペンに回動可能に軸止されたジャックと、当該ジャックによって突き上げられるバットと、当該バットによって支承されたハンマーと、当該ハンマーが打つ弦と、を有し、前記センターレールの長手方向に連続する案内部材が、前記センターレールに固定されており、前記案内部材は、前記案内部材に沿ってスライド可能な被案内部材を有し、前記バットが回動可能に軸止されたバットフレンジが、当該被案内部材に固定されており、前記被案内部材は、接続部材を介して突き上げ棒に接続されており、当該突き上げ棒はペダルに接続されており、弾性部材が、前記被案内部材を、演奏者側から見て左右いずれかの向きに付勢しており、演奏者が前記ペダルに加える力が、前記突き上げ棒と前記接続部材とを介して、前記弾性部材が付勢する向きと逆向きの力となって前記被案内部材に働く。【００２０】
演奏者がペダルに力を加えると、この力が突き上げ棒と接続部材とを介して被案内部材に働く。この被案内部材に働く力は、案内部材の長手方向の力であり、左右方向の力である。この力によって、被案内部材は案内部材に沿ってスライドする。
従来のアップライトピアノと同様に、天秤がペダルと突き上げ棒との間に介在していても良い。
接続部材が被案内部材と突き上げ棒とを接続している。接続部材が、突き上げ棒から伝わる上下方向の力を左右方向の力に変換する。この左右方向の力が接続部材から被案内部材に伝わる。【００２１】
接続部材は、例えば、ワイヤやチェーンであれば良い。ワイヤやチェーンは、その途中が滑車にかかっていても良い。
接続部材は、例えば、杆等の部材であっても良い。この場合、例えば、杆等の部材におけるいずれかの位置に、被案内部材が回動可能に接続される。そして、杆等の部材の別の位置に、突き上げ棒が回動可能に接続される。杆等の部材はその中間部に１個または複数個の屈曲可能な関節を有していても良い。【００２２】
接続部材は、例えば、回動可能に構成された回動部材であっても良い。この場合、例えば、回動部材の回動中心以外の位置に、被案内部材が回動可能に接続される。そして、回動部材の回動中心以外の位置に、突き上げ棒が回動可能に接続される。なお、回動部材において、被案内部材が接続される位置は、突き上げ棒が接続される位置と異なる。回動部材の回動中心と被案内部材の接続位置とを結ぶ直線と、回動部材の回動中心と突き上げ棒の接続位置とを結ぶ直線とは、直交することが好ましい。これらの２本の直線が直交すると、突き上げ棒から回動部材に働く上下方向の力が、効率よく左右方向の力に変換される。この左右方向の力が、回動部材から被案内部材に働く。また、回動部材の回動中心と、被案内部材の接続位置と、突き上げ棒の接続位置と、は、同一直線上にないことが好ましい。【００２３】
接続部材は、例えば、ラックとピニオンであっても良い。この場合、例えば、被案内部材に、左右方向に連続するラックが形成される。そして、センターレール等の動かない部材に、ラックと噛み合うピニオンが軸止される。さらに、ピニオンに、ピニオンと一体になって回動する腕が形成される。そして、突き上げ棒の先端部に、この腕の先端部が回動可能に接続される。突き上げ棒が上下に動くと、ピニオンの腕が回動し、ピニオンも回動する。ピニオンは回動するだけである。ピニオンの回動中心は移動しない。ピニオンが回動すると、ラックがピニオンから力を受けて左右方向に動く。そして、被案内部材がラックと共に左右方向に動く。【００２４】
弾性部材が被案内部材を左右いずれかの向きに付勢している。弾性部材の力は、被案内部材に直接働いても良いし、他の部材を介して被案内部材に間接的に働いても良い。演奏者がペダルに加える力が零であるとき、弾性部材が被案内部材を案内部材の一方の端側に引き寄せる。演奏者がペダルに力を加えると、被案内部材は弾性部材が付勢する向きと逆向きの力を接続部材から受ける。そして、被案内部材は弾性部材の付勢力に抗して案内部材沿いにスライドする。演奏者がペダルに加える力が零になると、被案内部材は弾性部材の付勢力によってスライド前の位置に復帰する。【００２５】
バットフレンジが被案内部材に固定されている。このため、バットフレンジ、バット及びハンマーは、被案内部材と共にスライドする。被案内部材のスライド距離は、バットフレンジ、バット及びハンマーのスライド距離と同じである。被案内部材のスライド距離は演奏者がペダルを踏み込む距離に応じて変わる。演奏者がペダルを最深位置まで踏み込むと、被案内部材のスライド距離は最大となる。演奏者がペダルを踏み込む距離は、演奏者がペダルに加える力の大きさに応じて変わる。演奏者がペダルを踏み込む距離が零である場合、演奏者がペダルに加える力は零である。演奏者がペダルを最深位置まで踏み込む場合、演奏者がペダルに加える力は最大である。【００２６】
演奏者がペダルに力を加えると、ハンマーが左右方向にスライドする。そして、弦に対するハンマーヘッドの相対位置が変わる。ハンマーのスライド距離に応じて、ハンマーが打つピアノ線の本数が変わる。また、ピアノ線を打つハンマーヘッドの部位も変わる。なお、ピアノ線を打つハンマーヘッドの部位とは、ハンマーヘッドの一部をなすハンマーフェルトの部位である。【００２７】
ハンマーが打つピアノ線の本数が変わることにより、ハンマーが弦を打つことで生じる音色が変わる。また、ピアノ線を打つハンマーヘッドの部位が変わることにより、ハンマーが弦を打つことで生じる音色が変わる。ハンマーヘッドの特定部位が頻繁にピアノ線に打ち続けると、その特定部位が硬くなる。ハンマーヘッドの他の部位は柔らかいままである。ハンマーがスライドすると、ピアノ線を打つハンマーヘッドの部位の硬さが変わる。【００２８】
演奏者は、鍵を押し下げる力の大きさを変えることにより、音に強弱をつける。従来のアップライトピアノのソフトペダルは不要である。ハンマーアンダーレールが後方に回動する必要がない。したがって、例えば、ハンマーアンダーレールがハンマーレールに固定されていても良い。ハンマーアンダーレールとハンマーレールとがひとつの部材によって形成されていても良い。【００２９】
ハンマーアンダーレールが後方に回動する必要がないので、静止状態のアクションにおいて、キャッチャーが後方に回動することはない。このため、ブライドルテープが有するべき最小限の長さＬB2が、前述の長さＬB1よりも短くなる。弦を打ったハンマーをブライドルテープが前方に引き戻す際、ブライドルテープから除去されるべきたるみの量が減少する。そして、時間Ｔ2が短縮され、時間Ｔ1も短縮される。したがって、同じ鍵の連打性能が向上する。【００３０】
なお、被案内部材に許容されるスライド距離は、上限値を有する。なぜならば、ハンマーフェルトが対応するピアノ線を打たねばならないからである。演奏者がペダルを踏み込むと被案内部材が左方向にスライドする場合を考える。この場合、被案内部材のスライド距離の上限値は、「ペダルが解放状態となっているときのハンマーフェルトの右側縁と、このハンマーフェルトに対応するピアノ線のうち最も左側にあるピアノ線と、の間の左右方向の距離」である。また、演奏者がペダルを踏み込むと被案内部材が右方向にスライドする場合を考える。この場合、被案内部材のスライド距離の上限値は、「ペダルが解放状態となっているときのハンマーフェルトの左側縁と、このハンマーフェルトに対応するピアノ線のうち最も右側にあるピアノ線と、の間の左右方向の距離」である。【００３１】
また、被案内部材のスライド距離が、長さＬB2に影響を与える場合が存在する。この影響により、長さＬB2が増加する場合があり得る。しかし、長さＬB2の増加分は、長さＬB2と長さＬB1との差に比べるとはるかに小さい。したがって、このような場合であっても、時間Ｔ2が短縮され、同じ鍵の連打性能が向上する。【００３２】
請求項２の発明に係るアップライトピアノのアクションは、請求項１に記載のアップライトピアノのアクションであって、前記ジャックは、前記バットを突き上げる突き上げ部を有し、前記バットは、前記突き上げ部に突き上げられる被突き上げ部を有し、演奏者が前記鍵と前記ペダルとに加える力が零である状態において、演奏者側から見て、前記突き上げ部の突端の右側縁が、前記被突き上げ部の右側縁の直下に位置するか、あるいは、前記被突き上げ部の右側縁よりも右側に位置しており、演奏者が前記鍵と前記ペダルとに加える力が零である状態において、演奏者側から見て、前記突き上げ部の突端の左側縁が、前記被突き上げ部の左側縁の直下に位置するか、あるいは、前記被突き上げ部の左側縁よりも左側に位置している。【００３３】
かかる構成のアクションは、ペダルの使用頻度が小さなアップライトピアノにおいて好ましい。
ジャックはウィッペンに軸止されており、ウィッペンはセンターレールに軸止されている。被案内部材がスライドしても、ジャックはスライドしない。アクションが休止状態となっているとき、バットの被突き上げ部はジャックの突き上げ部の突端の上にのっている。被案内部材が左右にスライドすると、バットの被突き上げ部はジャックの突き上げ部の突端の上を左右に擦り動く。【００３４】
バットの被突き上げ部において、ジャックの突き上げ部の突端が接する部位に、段差が存在すると、以下の不具合が生じる。すなわち、ジャックの突き上げ部の突端が、段差の下に入る際や、段差の下から出る際に、ジャックからバットに上向きの力が働く。この力によって、バットが上方へ跳ね上がり、ハンマーが後方に回動する。段差が大きければ、演奏者の意図に関係なく、ハンマーが勝手に弦を打つおそれがある。【００３５】
ペダルが解放状態となっており、且つ、鍵が静止状態となっている場合を考える。この場合、演奏者側から見ると、バットの被突き上げ部において、その右側縁から左側縁までの全部分が、ジャックの突き上げ部の突端に上から接触している。このため、演奏者側から見ると、バットの被突き上げ部において、その右側縁から左側縁までの全部分が、ジャックの突き上げ部と当たり、一様に潰れて薄くなる。演奏者側から見ると、バットの被突き上げ部において、その右側縁から左側縁までの途中に、段差は生じない。【００３６】
したがって、被案内部材が左右にスライドすると、バットの被突き上げ部はジャックの突き上げ部の突端の上をスムーズに左右に擦り動く。ジャックの突き上げ部の突端が段差の下に入るという事態は生じない。また、ジャックの突き上げ部の突端が段差の下から出るという事態も生じない。被案内部材がスライドする際、バットが演奏者の意図に関係なく、勝手に上方へ跳ね上がることはない。また、ハンマーが演奏者の意図に関係なく、勝手に後方に回動することもない。【００３７】
請求項３の発明に係るアップライトピアノのアクションは、請求項１に記載のアップライトピアノのアクションであって、前記ジャックは、前記バットを突き上げる突き上げ部を有し、前記バットは、前記突き上げ部に突き上げられる被突き上げ部を有し、演奏者が前記鍵に加える力が零である状態において、演奏者側から見て、前記突き上げ部の突端の右側縁が、前記被突き上げ部の右側縁の直下に常に位置するか、あるいは、前記被突き上げ部の右側縁よりも右側に常に位置しており、演奏者が前記鍵に加える力が零である状態において、演奏者側から見て、前記突き上げ部の突端の左側縁が、前記被突き上げ部の左側縁の直下に常に位置するか、あるいは、前記被突き上げ部の左側縁よりも左側に常に位置している。【００３８】
かかる構成のアクションは、ペダルの使用頻度が大きなアップライトピアノにおいて特に好ましい。
鍵が静止状態となっている場合を考える。なお、ペダルが解放状態となっているか作動状態となっているかは、問題としない。この場合、演奏者側から見ると、バットの被突き上げ部において、その右側縁から左側縁までの全部分が、ジャックの突き上げ部の突端に上から接触している。演奏者側から見ると、バットの被突き上げ部において、その右側縁から左側縁までの全部分が、ジャックの突き上げ部と当たり、一様に潰れて薄くなる。演奏者側から見ると、そのバットの被突き上げ部において、右側縁から左側縁までの途中に、段差は生じない。【００３９】
したがって、被案内部材が左右にスライドすると、バットの被突き上げ部はジャックの突き上げ部の突端の上をスムーズに左右に擦り動く。ジャックの突き上げ部の突端が段差の下に入るという事態は生じない。また、ジャックの突き上げ部の突端が段差の下から出るという事態も生じない。被案内部材がスライドする際、バットが、演奏者の意図に関係なく、勝手に上方へ跳ね上がることはない。また、ハンマーが、演奏者の意図に関係なく、勝手に後方に回動することもない。【００４０】
請求項４の発明に係るアップライトピアノのアクションは、請求項１から請求項３のうちのいずれかの請求項に記載のアップライトピアノのアクションであって、前記バットと、前記バットから演奏者側に伸びるキャッチャーシャンクと、当該キャッチャーシャンクの先端に固定されたキャッチャーと、が、第１の集合体をなし、前記ウィッペンにブライドルワイヤが立設されており、ブライドルテープが、前記第１の集合体と、前記ブライドルワイヤと、の間を接続しており、前記ブライドルワイヤにおいて、前記ブライドルテープが接続されている位置が、第１の接続位置をなし、前記第１の集合体と、前記ブライドルワイヤと、の間において前記ブライドルテープのたるみが零である状態において、前記ブライドルテープの前記第１の集合体に接触する部位のうちで最も前記第１の接続位置に近い位置が、第１の接触位置をなし、当該第１の接触位置に接触する前記第１の集合体のなかの位置が、第２の接触位置をなし、前記第１の接続位置と、前記第１の接触位置との間における前記ブライドルテープの長さが、第１の長さをなし、演奏者が前記鍵と前記ペダルとに加える力が零である状態において、前記ブライドルテープが存在しないと仮定したときの前記第１の接続位置と、前記第２の接触位置と、の間の距離が、第１の距離をなし、演奏者が前記ペダルに力を加えることによる前記被案内部材のスライド距離が最大となり、且つ、演奏者が前記鍵に加える力が零である状態において、前記ブライドルテープが存在しないと仮定したときの前記第１の接続位置と、前記第２の接触位置と、の間の距離が、第２の距離をなし、前記ハンマーが前記弦を打つ瞬間であり、且つ、演奏者が前記ペダルに加える力が零である状態において、前記ブライドルテープが存在しないと仮定したときの前記第１の接続位置と、前記第２の接触位置と、の間の距離が、第３の距離をなし、前記ハンマーが前記弦を打つ瞬間であり、且つ、演奏者が前記ペダルに力を加えることによる前記被案内部材のスライド距離が最大となった状態において、前記ブライドルテープが存在しないと仮定したときの前記第１の接続位置と、前記第２の接触位置と、の間の距離が、第４の距離をなし、前記第１の長さが、前記第１の距離と、前記第２の距離と、前記第３の距離と、前記第４の距離と、のうちの最長距離に１〜１．０３の値を乗じた長さである。【００４１】
以下の説明において、「状態ｃ」とは、「ペダルが解放状態となっており、且つ、アクションが休止状態となっている状態」である。「状態ｄ」とは、「ペダルが作動状態となっており、ペダルが最深位置まで踏み込まれており、且つ、アクションが休止状態となっている状態」である。「状態ｅ」とは、「ハンマーが弦を打つ瞬間であり、且つ、ペダルが解放状態となっている状態」である。「状態ｆ」とは、「ハンマーが弦を打つ瞬間であり、ペダルが作動状態となっており、且つ、ペダルが最深位置まで踏み込まれた状態」である。【００４２】
状態ｃにおいて、ブライドルテープが存在しないと仮定した場合を考える。この場合において、第１の接続位置と、第２の接触位置と、の間の距離が、第１の距離である。
状態ｄにおいて、ブライドルテープが存在しないと仮定した場合を考える。この場合において、第１の接続位置と、第２の接触位置と、の間の距離が、第２の距離である。
状態ｅにおいて、ブライドルテープが存在しないと仮定した場合を考える。この場合において、第１の接続位置と、第２の接触位置と、の間の距離が、第３の距離である。
状態ｆにおいて、ブライドルテープが存在しないと仮定した場合を考える。この場合において、第１の接続位置と、第２の接触位置と、の間の距離が、第４の距離である。【００４３】
なお、ブライドルテープが存在しないと仮定した場合、第１の接続位置とは、「ブライドルテープが存在するときの第１の接続位置」であり、第２の接触位置とは、「ブライドルテープが存在するときの第２の接触位置」である。
アクションを形成する部品の大きさや形に応じて、第１の距離、第２の距離、第３の距離及び第４の距離は、それぞれ長さが変わる。
第１〜第４の距離のうちの最長距離の長さが、第１の長さが有するべき最小限の長さである。【００４４】
第１の長さが第１の距離以上の長さを有する場合を考える。この場合、状態ｃにおいて、演奏者の意図に関係なく、鍵の前端部が勝手に下降することはない。
第１の長さが第２の距離以上の長さを有する場合を考える。この場合、状態ｄにおいて、演奏者の意図に関係なく、鍵の前端部が勝手に下降することはない。
第１の長さが第３の距離以上の長さを有する場合を考える。この場合、状態ｅにおいて、ブライドルテープがバットを前方に引っ張ることはない。弦を打つハンマーの回動速度が遅くなることもない。【００４５】
第１の長さが第４の距離以上の長さを有する場合を考える。この場合、状態ｆにおいて、ブライドルテープがバットを前方に引っ張ることはない。弦を打つハンマーの回動速度が遅くなることもない。
したがって、第１の長さが、第１〜第４の距離のうちの最長距離以上の長さを有していれば、演奏者の意図に関係なく、鍵の前端部が勝手に下降することはない。弦を打つハンマーの回動速度が遅くなることもない。第１の長さが有するべき最小限の長さは、第１〜第４の距離のうちの最長距離の長さである。【００４６】
そして、ブライドルテープが有するべき最小限の長さＬB2は以下に述べる長さである。
まず、「第１の集合体においてブライドルテープが接続されている位置」が、「第２の接続位置」である。「第２の接続位置と第１の接触位置との間におけるブライドルテープの長さ」が、「第２の長さ」である。長さＬB2は、第１の長さが有するべき最小限の長さと、第２の長さと、を足し合わせた長さである。【００４７】
ブライドルテープの長さが、「第１の長さが有するべき最小限の長さに１〜１．０３の値を乗じた長さと、第２の長さと、を足し合わせた長さ」である場合を考える。この場合、状態ｅまたは状態ｆにおいて、ブライドルテープが有するたるみ量が、Ｓ1である。また、「ハンマーアンダーレールが回動する従来のアクションにおいて、ハンマーが弦を打つ瞬間にブライドルテープが有するたるみ量」が、Ｓ2である。たるみ量Ｓ1はたるみ量Ｓ2よりも小さい。このため、時間Ｔ2が従来のアクションよりも短い。この結果、同じ鍵の連打性能が向上する。【００４８】
また、本発明者は、同じ鍵の連打性能の観点から、演奏者が感じるブライドルテープの長さの違いの影響を検討した。
以下、「第１の場合」とは、「第１の長さが、第１〜第４の距離のうちの最長距離の長さである場合」である。「第２の場合」とは、「第１の長さが、第１〜第４の距離のうちの最長距離に１．０３の値を乗じた長さである場合」である。「第３の場合」とは、「第１の長さが、第１〜第４の距離のうちの最長距離に１．０３を超える値を乗じた長さである場合」である。
第１の場合と第２の場合とを比較すると、演奏者は、同じ鍵の連打性能の違いを感じなかった。しかし、第１の場合と第３の場合とを比較すると、演奏者は、第３の場合が第１の場合よりも同じ鍵の連打性能が劣ると感じた。【００４９】
したがって、演奏者が認識し得る同じ鍵の連打性能の観点から、第１の長さは、「第１〜第４の距離のうちの最長距離に１〜１．０３の値を乗じた長さ」であることが好ましい。そして、第１の長さがこのような長さの範囲を持つことによって、アクションの調整が容易化される。また、第１の長さがこのような長さの範囲を持つことによって、温度や湿度によるブライドルテープの伸縮に対応しやすくなる。
なお、第１の接触位置の場所は、第１の集合体の形状や大きさによって変わり得るし、第２の接続位置の場所によっても変わり得る。第２の接続位置と第１の接触位置とが一致していても良いことは勿論である。
【発明の効果】
【００５０】
上記のようなアップライトピアノのアクションであるので、豊かな音色の変化を表現可能であり、同じ鍵の連打性能が向上可能である。
【図面の簡単な説明】
【００５１】
【図１】左方から見たアップライトピアノのアクションの構成図である。
【図２】左斜め前方から見たセンターレールと案内部材と被案内部材の斜視図である。
【図３】案内部材と被案内部材の断面図である。
【図４】ペダルと天秤と突き上げ棒の構成図である。
【図５】ハンマーが弦を打つ瞬間において上方から見たハンマーフェルトと弦との相対的位置関係の説明図である。
【図６】前方から見たバットの突き上げ部とジャックの被突き上げ部との相対的位置関係の説明図である。
【図７】ブライドルテープと第１の集合体とブライドルワイヤの位置関係の説明図であり、（ｉ）はブライドルテープがたるみを有する状態の説明図、（ｉｉ）はブライドルテープのたるみが零である状態の説明図である。
【図８】ブライドルテープの上面図である。
【発明を実施するための形態】
【００５２】
本発明を実施するための形態を図１から図８を参照しつつ説明する。なお、図１の右側が演奏者側であり、図２の右下側が演奏者側であり、図５の下側が演奏者側である。
図１に示すように、アップライトピアノは左右方向に並ぶ多数のアクション１（ひとつだけ図示）を有する。アクション１は、鍵１２、センターレール１４、ハンマーレール１８、ウィッペン２１、ジャック３０、バット３６、ハンマー４４及び弦５１を有する。
【００５３】
バランスピン（図示せず）が筬１０に立設されている。このバランスピンが、鍵１２の中央部を回動可能に支持している。筬１０の左右両側に、ブラケット（図示せず）が形成されている。左右のブラケットの間に、センターレール１４とハンマーレール１８が架け渡されて固定されている。ハンマーアンダーレール１９がハンマーレール１８の後面に固定されており、ハンマーアンダーレール１９は動けない。センターレール１４とハンマーレール１８とハンマーアンダーレール１９はそれぞれ左右方向に連続して伸びている。
【００５４】
鍵１２の後端部の上方にウィッペン２１が位置している。ウィッペン２１の後端部がウィッペンフレンジ２２を介してセンターレール１４の下部に回動可能に軸止されている。ウィッペン２１はヒール２３を介して鍵１２の後端部の上にのっている。ウィッペン２１の上面に、ジャック３０が軸止されている。また、ウィッペン２１の上面に、バックチェックワイヤ２６及びブライドルワイヤ２４が立設されている。ジャック３０、バックチェックワイヤ２６及びブライドルワイヤ２４は、後側から前側に向かって順番に並んでいる。
【００５５】
図１、図７及び図８に示すようにブライドルワイヤ２４の先端部に、ブライドルテープ２５の前端部が接続されている。ブライドルテープ２５は布製である。ブライドルテープ２５において、ブライドルワイヤ２４の先端部に接続されている位置が、第１の接続位置Ｐ1である。
バックチェックワイヤ２６の先端部に、バックチェック２７が取り付けられている。
【００５６】
ジャック３０はジャックテール３１と突き上げ部３２を有する。ジャックテール３１が前方に伸びており、突き上げ部３２が上方に伸びている。ジャックテール３１の後端部が突き上げ部３２の下端部に接続されている。ジャック３０は「Ｌ」の字形をなす。この「Ｌ」の字形の角部において、ジャック３０はウィッペン２１に回動可能に軸止されている。突き上げ部３２の突端３３の左右方向の幅はＷJである（図６を参照）。
センターレール１４の上面の前端部に、段部１５が形成されている。段部１５はセンターレール１４の長手方向に連続して伸びている。
【００５７】
図２に示すように、センターレール１４の左端部の後面に、支持具５６が取り付けられている。支持具５６は腕５７Ａと腕５７Ｂを有する。腕５７Ａの一端が腕５７Ｂの一端に接続されている。支持具５６は「Ｌ」の字形をなす。腕５７Ａの下端部がセンターレール１４の左端部の後面に固定されている。腕５７Ａはセンターレール１４から上方に伸びている。腕５７Ｂが腕５７Ａの上端部から斜め左前方に伸びている。
【００５８】
腕５７Ｂの先端部に、接続部材６０が取り付けられている。接続部材６０は腕６１Ａと腕６１Ｂを有する。腕６１Ａの一端が腕６１Ｂの一端に接続されている。腕６１Ａと腕６１Ｂは直交している。接続部材６０は「Ｌ」の字形をなす。この「Ｌ」の字形の角部において、接続部材６０はひとつの仮想面内を回動可能に腕５７Ｂの先端部に軸止されている。この仮想面は、センターレール１４と平行な面であり、且つ、鉛直な面である。接続部材６０が回動部材をなす。腕６１Ａの先端部に、細長い穴６２が腕６１Ａの長手方向に連続して形成されている。
【００５９】
図１及び図２に示すように、段部１５の前方を向く面に、案内部材６７が固定されている。案内部材６７はセンターレール１４に沿って左右方向に連続して伸びている。案内部材６７の前面に、溝６８が形成されている（図３を参照）。溝６８は案内部材６７に沿って左右方向に連続して伸びている。溝６８の右端部に、閉塞部６９が形成されている。閉塞部６９が溝６８の右端部を塞いでいる。溝６８の内側に、対向する上下の内壁６８Ｕ、６８Ｌがある。内壁６８Ｕ、６８Ｌの前側の縁が、縁部７０をなしている（図３を参照）。縁部７０は案内部材６７に沿って左右方向に連続して伸びている。縁部７０は溝６８の内側に向かって突出している。案内部材６７は、左右方向に連続する略「Ｃ」の字形の断面を有している（図３を参照）。
【００６０】
溝６８に、被案内部材７３が嵌っている。被案内部材７３は、左右方向に連続する「Ｈ」の字形の断面を有する。この「Ｈ」の字形の断面の凹部が溝６８の縁部７０に嵌合している。被案内部材７３は案内部材６７に沿って左右方向にスライド可能に構成されている。
引っ張りバネ７５の一端がセンターレール１４の左端部に接続されている。引っ張りバネ７５の他端が腕６１Ａの先端部に接続されている。引っ張りバネ７５が弾性部材をなす。
【００６１】
被案内部材７３は、その前面の左端部に突起７４を有する。突起７４が腕６１Ａの穴６２の中に後方から嵌っている。突起７４は穴６２の中を腕６１Ａの長手方向に移動可能に形成されている。被案内部材７３の右端部が閉塞部６９に当たった状態において、腕６１Ａはほぼ垂直に立っている。そして、この状態において、突起７４は、穴６２の中で、接続部材６０の回動中心に最も近い位置にある。また、この状態において、腕６１Ｂはほぼ水平に左方に伸びている。
【００６２】
引っ張りバネ７５が腕６１Ａの先端部を常に右方へ引っ張っている。引っ張りバネ７５の牽引力は穴６２から突起７４に伝わる。すなわち、引っ張りバネ７５は被案内部材７３を常に右方に付勢している。
被案内部材７３の前面に、多数のバットフレンジ４１が並んで固定されている。一個のバットフレンジ４１が一個の鍵１２、一個のバット３６及び一個のハンマー４４に対応している。図１に示すように、バットフレンジ４１の上部に、バット３６の後面の下端部が回動可能に軸止されている。
【００６３】
バット３６の下面の前側部分から前面の下側部分にかけて、被突き上げ部３７が形成されている。被突き上げ部３７に、フェルトが貼られている。被突き上げ部３７の左右方向の幅はＷBである（図６を参照）。バット３６の前面の上側部分に、キャッチャーシャンク３８が立設されている。キャッチャーシャンク３８はバット３６から前方に伸びている。キャッチャーシャンク３８の先端部に、キャッチャー３９が固定されている。バット３６とキャッチャーシャンク３８とキャッチャー３９とが第１の集合体３５をなす。
【００６４】
図１及び図７に示すように、キャッチャーシャンク３８とキャッチャー３９との接続部分に、ブライドルテープ２５の後端部が接続されている。ブライドルテープ２５において、第１の集合体３５に接続されている位置が、第２の接続位置Ｐ2である（図７及び図８を参照）。
バット３６はハンマー４４を支承している。ハンマー４４はハンマーシャンク４５とハンマーヘッド４６を有する。ハンマーシャンク４５がバット３６の上面に立設されている。ハンマーシャンク４５の先端部に、ハンマーヘッド４６が固定されている。ハンマーヘッド４６はハンマーウッド４７とハンマーフェルト４８とを有する。ハンマーフェルト４８は弦５１に対向している。ハンマーフェルト４８の左右方向の幅はＷHである（図５（ｉ）を参照）。
【００６５】
ハンマーシャンク４５の前方に、ハンマーアンダーレール１９が位置している。
図１に示すように、ハンマー４４の後方に、弦５１が張られている。図５に示すように、弦５１は３本のピアノ線５２Ａ、５２Ｂ、５２Ｃによって形成されている。ピアノ線５２Ａ、５２Ｂ、５２Ｃが右側から左側に順番に並んでいる。ピアノ線５２Ａの中心軸線とピアノ線５２Ｂの中心軸線との間の左右方向の距離はＤABである。ピアノ線５２Ｂの中心軸線とピアノ線５２Ｃの中心軸線との間の左右方向の距離はＤBCである。
【００６６】
被案内部材７３の右端部が閉塞部６９に当たった状態において、演奏者が鍵１２を押す。この結果、ハンマーフェルト４８の位置ＰA1がピアノ線５２Ａを打ち、ハンマーフェルト４８の位置ＰB1がピアノ線５２Ｂを打ち、ハンマーフェルト４８の位置ＰC1がピアノ線５２Ｃを打つ（図５（ｉ）を参照）。
【００６７】
位置ＰA1はハンマーフェルト４８の右側縁４８Ｒから距離ＤHRだけ左側にある。位置ＰB1は位置ＰA1から距離ＤABだけ左側にある。位置ＰC1は位置ＰB1から距離ＤBCだけ左側にある。ハンマーフェルト４８の左側縁４８Ｌは位置ＰC1から距離ＤHLだけ左側にある。右側縁４８Ｒから位置ＰC1までの左右方向の距離は後述する距離ＬSMAX以上の長さである。次の（１）〜（３）式が成立している。
ＷH＝ＤHR＋ＤAB＋ＤBC＋ＤHL≧ＬSMAX＋ＤHL    ・・・（１）
ＤHR≧０    ・・・（２）
ＤHL≧０    ・・・（３）
【００６８】
図４に示すように、アップライトピアノの下部に、ペダル７７が形成されている。ペダル７７の前端部が下前板（図示せず）から前方に突出している。ペダル７７の後端部が底板７８に回動可能に軸止されている。ペダル７７の中間部が天秤７９の右端部に下側から接続されている。突き上げ棒８１の下端部が天秤７９の左端部に上方から当接している。天秤７９の中央部は支点８０によって揺動可能に支持されている。図２に示すように、突き上げ棒８１の上端部が、接続部材６０の腕６１Ｂの先端部に回動可能に接続されている。すなわち、被案内部材７３は接続部材６０を介して突き上げ棒８１に接続されている。突き上げ棒８１は天秤７９を介してペダル７７に接続されている。
【００６９】
ペダル７７が解放状態となっているとき、被案内部材７３の右端部が閉塞部６９に当たっている（図２を参照）。
ペダル７７が解放状態となっており、且つ、鍵１２が静止状態となっている場合を考える。演奏者側から見ると、バット３６はジャック３０に対して図６（ｉ）に示す相対的位置関係を有する。被突き上げ部３７の右側縁３７Ｒから左側縁３７Ｌまでの全部分が、突き上げ部３２の突端３３に上から接触している。
【００７０】
このとき、被突き上げ部３７の右側縁３７Ｒは突端３３の右側縁３３Ｒよりも左側にある。右側縁３７Ｒと右側縁３３Ｒとの間の左右方向の距離はＤJBRである。また、被突き上げ部３７の左側縁３７Ｌは突端３３の左側縁３３Ｌよりも右側にある。左側縁３７Ｌと左側縁３３Ｌとの間の左右方向の距離はＤJBLである。距離ＤJBLは後述する距離ＬSMAX以上の長さを有する。次の（４）式と（５）式が成立している。
ＷJ＝ＤJBR＋ＷB＋ＤJBL≧ＤJBR＋ＷB＋ＬSMAX    ・・・（４）
ＤJBR≧０    ・・・（５）
【００７１】
次に作用について説明する。
アクション１が休止状態となっており、ペダル７７が解放状態となっている場合を考える。演奏者が静止状態となっている鍵１２を押す。ウィッペン２１が上方に回動し、ジャック３０の突き上げ部３２の突端３３がバット３６の被突き上げ部３７を上方に突き上げる。この結果、ハンマー４４が後方に回動する。そして、ジャック３０がバット３６の下から離脱する。ハンマー４４は慣性力により後方に回動し、弦５１を打つ。このとき、ハンマーフェルト４８の位置ＰA1、ＰB1、ＰC1がピアノ線５２Ａ、５２Ｂ、５２Ｃを打つ（図５（ｉ）を参照）。
【００７２】
弦５１を打った後、ハンマー４４は前方に回動する。そして、バックチェック２７がキャッチャー３９を捕らえ、ハンマー４４は静止する。
次いで、演奏者が鍵１２を離す。ウィッペン２１が下方に回動し、バックチェック２７がキャッチャー３９を離す。ウィッペン２１がさらに下方に回動し、ブライドルワイヤ２４がウィッペン２１と共に下方に回動する。キャッチャー３９とブライドルワイヤ２４との距離が広がる。そして、ブライドルテープ２５が第１の集合体３５を前方に引っ張る。第１の集合体３５がハンマー４４と共に前方に回動する。回動したハンマー４４はハンマーアンダーレール１９に当接する。また、ウィッペン２１が下降すると、ジャック３０の突き上げ部３２の突端３３がバット３６の被突き上げ部３７の下に入る。そして、アクション１は休止状態に復帰する。
【００７３】
ブライドルテープ２５が第１の集合体３５を引っ張るとき、ブライドルテープ２５のたるみは零である。このとき、ブライドルテープ２５の後端部側部分が、キャッチャー３９の後面に接触する（図７（ｉｉ）を参照）。ブライドルテープ２５において、「キャッチャー３９に接触する部位のうちの最も第１の接続位置Ｐ1に近い位置」が、第１の接触位置Ｐ3である。また、キャッチャー３９において、第１の接触位置Ｐ3に接触する位置が、第２の接触位置Ｐ4である。
【００７４】
「第１の接続位置Ｐ1と第１の接触位置Ｐ3との間におけるブライドルテープ２５の長さ」が、第１の長さＬ1である（図８を参照）。「第２の接続位置Ｐ2と第１の接触位置Ｐ3との間におけるブライドルテープ２５の長さ」が、第２の長さＬ2である。ブライドルテープ２５の長さＬBは、第１の長さＬ1と第２の長さＬ2とを足し合わせた長さである。なお、ブライドルテープ２５は、第１の接続位置Ｐ1よりも前端側に余り部分２５ａを有し、第２の接続位置Ｐ2よりも後端側に余り部分２５ｂを有する。余り部分２５ａ、２５ｂは、ブライドルテープ２５の両端部を第１の集合体３５とブライドルワイヤ２４に接続するうえで必要である。余り部分２５ａ、２５ｂは、ブライドルテープ２５の長さＬBには含まれない。
【００７５】
ペダル７７が解放状態となっている場合を考える。演奏者がペダル７７を踏み込み、力をペダル７７に加える。ペダル７７が作動状態になる。ペダル７７の前端部が下降し、ペダル７７の中間部が天秤７９の右端部を下方に引っ張る。そして、天秤７９の左端部が上昇し、突き上げ棒８１が上昇する。突き上げ棒８１が上昇すると、接続部材６０の腕６１Ｂが上方に突き上げられ、接続部材６０が時計回りに回動する。接続部材６０の腕６１Ａも時計回りに回動し、腕６１Ａの先端部が左方へ動く。被案内部材７３は左右方向にしか動けない。このため、被案内部材７３の突起７４は腕６１Ａの穴６２の中を腕６１Ａの先端側に移動する。結局、腕６１Ａの回動に伴い、突起７４は左方に動く。腕６１Ａは突起７４を介して被案内部材７３を左方へ引っ張る。すなわち、接続部材６０は、突き上げ棒８１から腕６１Ｂに働く上下方向の力を、被案内部材７３に働く左右方向の力に変換している。
【００７６】
腕６１Ａに引っ張られた被案内部材７３は、引っ張りバネ７５の付勢力に抗して、案内部材６７に沿って左方へスライドする。
被案内部材７３がスライドすると、第１の集合体３５及びハンマー４４は被案内部材７３と共にスライドする。第１の集合体３５、ハンマー４４及び被案内部材７３のスライド距離は、ＬSである。
演奏者がペダル７７を離す。演奏者がペダル７７に加える力が零になる。ペダル７７が解放状態に復帰する。このとき、ペダル７７から被案内部材７３に伝わる力は零になる。被案内部材７３は引っ張りバネ７５の付勢力によって右方へスライドし、被案内部材７３の右端部が閉塞部６９に当たる。
【００７７】
被案内部材７３が右方へスライドすると、被案内部材７３の突起７４が接続部材６０の腕６１Ａの穴６２の中を接続部材６０の回動中心側に移動する。突起７４の動きにより、右向きの力が突起７４から腕６１Ａに働き、接続部材６０は反時計回りに回動する。そして、腕６１Ａはほぼ垂直に立った状態に復帰し、腕６１Ｂはほぼ水平の状態に復帰する。突起７４は、穴６２の中で、接続部材６０の回動中心に最も近い位置に戻る。
【００７８】
距離ＬSは演奏者がペダル７７を踏み込む距離に応じて変わる。すなわち、距離ＬSは演奏者がペダル７７に加える力の大きさに応じて変わる。演奏者がペダル７７を最深位置まで踏み込むと、距離ＬSは最大距離ＬSMAXとなる。距離ＬSMAXは次の（６）式を満たす。
ＬSMAX≦ＤHR＋ＤAB＋ＤBC    ・・・（６）
（６）式が満たされるので、距離ＬSの長さに関係なく、ハンマーフェルト４８はピアノ線５２Ｃを常に打つ。
【００７９】
被案内部材７３がスライドしても、ウィッペン２１やジャック３０はスライドしない。アクション１が休止状態となっているときに、被案内部材７３が左右方向にスライドする場合を考える。この場合、バット３６の被突き上げ部３７は、ジャック３０の突き上げ部３２の突端３３に上から接触したまま左右方向に擦り動く。図６（ｉｉ）に、被案内部材７３が左方に距離ＬSMAXだけスライドしたときの被突き上げ部３７と突端３３の相対的位置関係を示す。
【００８０】
アクション１が休止状態となっている場合を考える。この場合、距離ＬSの長さに関係なく、演奏者側から見ると、被突き上げ部３７の右側縁３７Ｒから左側縁３７Ｌまでの全部分が、突端３３に上から常に接触している。演奏者側から見ると、被突き上げ部３７の右側縁３７Ｒから左側縁３７Ｌまでの全部分が、突端３３に常に当たり、一様に潰れて薄くなる。このため、演奏者側から見ると、被突き上げ部３７において、右側縁３７Ｒから左側縁３７Ｌまでの途中に、段差は生じない。
【００８１】
したがって、アクション１が休止状態となっている場合、被案内部材７３がスライドすると、被突き上げ部３７は突端３３の上をスムーズに擦り動く。このとき、突端３３が段差の下に入るという事態は生じない。突端３３が段差の下から出るという事態も生じない。バット３６が、演奏者の意図に関係なく、勝手に上方へ跳ね上がることもない。また、ハンマー４４が、演奏者の意図に関係なく、勝手に後方に回動することもない。
【００８２】
演奏者がペダル７７に力を加えると、ハンマーヘッド４６は左方に距離ＬSだけスライドする。そして、ハンマーフェルト４８と弦５１との相対的位置関係が変わる。ハンマーフェルト４８がピアノ線５２Ａ、５２Ｂ、５２Ｃを打つ位置と、距離ＬSとの間には、以下の関係が成立する。
【００８３】
距離ＬSが次の（７）式を満たす場合、ハンマーフェルト４８の位置ＰA2がピアノ線５２Ａを打ち、ハンマーフェルト４８の位置ＰB2がピアノ線５２Ｂを打ち、ハンマーフェルト４８の位置ＰC2がピアノ線５２Ｃを打つ（図５（ｉｉ）を参照）。位置ＰA2は位置ＰA1から距離ＬSだけ右側にある。位置ＰB2は位置ＰB1から距離ＬSだけ右側にある。位置ＰC2は位置ＰC1から距離ＬSだけ右側にある。
０＜ＬS≦ＤHR    ・・・（７）
【００８４】
距離ＬSが次の（８）式を満たす場合、ハンマーフェルト４８の位置ＰB3がピアノ線５２Ｂを打ち、ハンマーフェルト４８の位置ＰC3がピアノ線５２Ｃを打つ（図５（ｉｉｉ）を参照）。ハンマーフェルト４８はピアノ線５２Ａを打たない。位置ＰB3は位置ＰB1から距離ＬSだけ右側にある。位置ＰC3は位置ＰC1から距離ＬSだけ右側にある。
ＤHR＜ＬS≦ＤHR＋ＤAB    ・・・（８）
【００８５】
距離ＬSが次の（９）式を満たす場合、ハンマーフェルト４８の位置ＰC4がピアノ線５２Ｃを打つ（図５（ｉｖ）を参照）。ハンマーフェルト４８はピアノ線５２Ａ、５２Ｂを打たない。位置ＰC4は位置ＰC1から距離ＬSだけ右側にある。
ＤHR＋ＤAB＜ＬS≦ＬSMAX    ・・・（９）
演奏者がペダル７７に加える力の大きさに応じて、ハンマーヘッド４６が打つピアノ線の本数が変わる。そして、ハンマーフェルト４８において、ピアノ線５２Ａ、５２Ｂ、５２Ｃを打つ位置が変わる。したがって、演奏者がペダル７７に加える力の大きさを調節すれば、弦５１が発する音色が変わる。
【００８６】
演奏者は、音に強弱を付けるときは、鍵１２を押す力の大きさを変えれば良い。したがって、従来、アップライトピアノにあったソフトペダルが不要である。そして、ハンマーアンダーレール１９が後方に回動する必要はない。
ペダル７７が解放状態となっており、且つ、鍵１２が静止状態となっている場合を考える。この場合、バット３６とジャック３０が次の相対的位置関係を有していても良い。
【００８７】
演奏者側から見ると、バット３６の被突き上げ部３７の右側縁３７Ｒから左側縁３７Ｌまでの全部分が、ジャック３０の突き上げ部３２の突端３３に上から接触している。このとき、突端３３の右側縁３３Ｒは被突き上げ部３７の右側縁３７Ｒの直下にある。すなわち、距離ＤJBRが零ある。そして、被突き上げ部３７の左側縁３７Ｌは突端３３の左側縁３３Ｌから距離ＤJBLだけ右側にある。距離ＤJBLは距離ＬSMAX以上の長さである。このとき、（４）式は次の（１０）式になる。
ＷJ＝ＷB＋ＤJBL≧ＷB＋ＬSMAX    ・・・（１０）
【００８８】
さらに、（１０）式において、次の（１１）式が成立する場合を考える。この場合、被案内部材７３が左方に距離ＬSMAXだけスライドすると、左側縁３３Ｌは左側縁３７Ｌの直下にくる。
ＤJBL＝ＬSMAX    ・・・（１１）
アクションにおいて、弦が２本のピアノ線によって形成されている場合がある。かかる場合は、本実施の形態において、弦５１が２本のピアノ線５２Ｂ、５２Ｃによって形成されていると考えれば良い。
アクションにおいて、弦が１本のピアノ線によって形成されている場合がある。かかる場合は、本実施の形態において、弦５１が１本のピアノ線５２Ｃによって形成されていると考えれば良い。
【００８９】
次に、ブライドルテープ２５の長さＬBについて説明する。
以下の説明において、「状態Ｃ」とは、「ペダル７７が解放状態となっており、且つ、アクション１が休止状態となっている状態」である。「状態Ｄ」とは、「ペダル７７が作動状態となっており、ペダル７７が最深位置まで踏み込まれており、且つ、アクション１が休止状態となっている状態」である。「状態Ｅ」とは、「ハンマー４４が弦５１を打つ瞬間であり、且つ、ペダル７７が解放状態となっている状態」のことである。「状態Ｆ」とは、「ハンマー４４が弦５１を打つ瞬間であり、ペダル７７が作動状態となっており、且つ、ペダル７７が最深位置まで踏み込まれた状態」のことである。
【００９０】
まず、状態Ｃにおいて、ブライドルテープ２５が存在しないと仮定した場合を考える。この場合において、第１の接続位置Ｐ1と、第２の接触位置Ｐ4と、の間の距離が、第１の距離Ｄ1である。
状態Ｄにおいて、ブライドルテープ２５が存在しないと仮定した場合を考える。この場合において、第１の接続位置Ｐ1と、第２の接触位置Ｐ4と、の間の距離が、第２の距離Ｄ2である。
【００９１】
状態Ｅにおいて、ブライドルテープ２５が存在しないと仮定した場合を考える。この場合において、第１の接続位置Ｐ1と、第２の接触位置Ｐ4と、の間の距離が、第３の距離Ｄ3である。
状態Ｆにおいて、ブライドルテープ２５が存在しないと仮定した場合を考える。この場合において、第１の接続位置Ｐ1と、第２の接触位置Ｐ4と、の間の距離が、第４の距離Ｄ4である。
アクション１を形成する部品の大きさや形に応じて、第１の距離Ｄ1、第２の距離Ｄ2、第３の距離Ｄ3及び第４の距離Ｄ4は、それぞれ長さが変わる。
【００９２】
第１の距離Ｄ1〜第４の距離Ｄ4のうちの最長距離が、距離ＤMAXである。
第１の長さＬ1が第１の距離Ｄ1以上の長さを有する場合を考える。この場合、状態Ｃにおいて、演奏者の意図に関係なく、鍵１２の前端部が勝手に下降することはない。
第１の長さＬ1が第２の距離Ｄ2以上の長さを有する場合を考える。この場合、状態Ｄにおいて、演奏者の意図に関係なく、鍵１２の前端部が勝手に下降することはない。
第１の長さＬ1が第３の距離Ｄ3以上の長さを有する場合を考える。この場合、状態Ｅにおいて、ブライドルテープ２５が第１の集合体３５を前方に引っ張ることはない。また、弦５１を打つハンマー４４の回動速度が遅くなることもない。
【００９３】
第１の長さＬ1が第４の距離Ｄ4以上の長さを有する場合を考える。この場合、状態Ｆにおいて、ブライドルテープ２５が第１の集合体３５を前方に引っ張ることはない。また、弦５１を打つハンマー４４の回動速度が遅くなることもない。
すなわち、距離ＤMAXの長さが、第１の長さＬ1が有するべき最小限の長さである。第１の長さＬ1が、距離ＤMAX以上の長さを有すれば、演奏者の意図に関係なく、鍵１２の前端部が勝手に下降することはない。弦５１を打つハンマー４４の回動速度が遅くなることもない。
【００９４】
したがって、ブライドルテープ２５が有するべき最小限の長さＬB2は、距離ＤMAXの長さに第２の長さＬ2を足し合わせた長さである。
次に、第１の長さＬ1が、距離ＤMAXに１〜１．０３の値を乗じた長さである場合を考える。この場合は、状態Ｅまたは状態Ｆにおいて、ブライドルテープ２５が有するたるみ量がＳ1である。また、従来のハンマーアンダーレールが回動するアクションにおいて、ハンマーが弦を打つ瞬間にブライドルテープが有するたるみ量がＳ2である。たるみ量Ｓ1はたるみ量Ｓ2よりも小さい。このため、時間Ｔ2が従来のアップライトピアノよりも短くなる。結果として、同じ鍵１２の連打性能が向上する。
【００９５】
本発明者は次の第４〜第６の場合を比較した。
「第４の場合」とは、「第１の長さＬ1が、距離ＤMAXの長さである場合」である。「第５の場合」とは、「第１の長さＬ1が、距離ＤMAXに１．０３の値を乗じた長さである場合」である。「第６の場合」とは、「第１の長さＬ1が、距離ＤMAXに１．０３を超える値を乗じた長さである場合」である。
【００９６】
本発明者が行なった実験によると、第４の場合と第５の場合とにおいて、演奏者が同じ鍵１２の連打性能に違いを感じることはなった。しかし、演奏者は、第６の場合が第４の場合よりも同じ鍵１２の連打性能が劣ると感じた。したがって、演奏者が認識し得る同じ鍵１２の連打性能の観点から、第１の長さＬ1が、距離ＤMAXに１〜１．０３の値を乗じた長さであることが好ましい。第１の長さＬ1がこのような長さの範囲を持つことによって、アクション１の調整が容易化される。また、第１の長さＬ1がこのような長さの範囲を持つことによって、温度や湿度によるブライドルテープ２５の伸縮に対応しやすくなる。
【００９７】
なお、現代の楽曲のなかには、演奏者により速く且つ頻繁に同じ鍵１２を連打することを求める楽曲が存在する。かかる要求に応えるとともに、より豊かな表現を可能とするためには、第１の長さＬ1が、距離ＤMAXに１〜１．０２５の値を乗じた長さであることがより好ましい。第１の長さＬ1が、距離ＤMAXに１〜１．０２の値を乗じた長さであることは、さらに一層より好ましい。
【００９８】
第２の接続位置Ｐ2は、第１の集合体３５のなかのいずれの位置であっても良い。例えば、第２の接続位置Ｐ2がキャッチャーシャンク３８上にあっても良い。第２の接続位置Ｐ2がバット３６とキャッチャーシャンク３８との境目にあっても良い。第２の接続位置Ｐ2がバット３６上にあっても良い。第２の接続位置Ｐ2が、バット３６の回動中心に近づくことにより、第１の距離Ｄ1と第３の距離Ｄ3との差、第１の距離Ｄ1と第４の距離Ｄ4との差、第２の距離Ｄ2と第３の距離Ｄ3との差、及び、第２の距離Ｄ2と第４の距離Ｄ4との差が、小さくなる。
【００９９】
距離ＤMAXが第１の距離Ｄ1または第２の距離Ｄ2である場合を考える。この場合、状態Ｅまたは状態Ｆにおいて、ブライドルテープ２５にたるみが生じる。バックチェック２７がキャッチャー３９を離してからブライドルテープ２５が第１の集合体３５を引っ張るまでの間に、このたるみがブライドルテープ２５から除去される。第１の距離Ｄ1と第３の距離Ｄ3との差、第１の距離Ｄ1と第４の距離Ｄ4との差、第２の距離Ｄ2と第３の距離Ｄ3との差、及び、第２の距離Ｄ2と第４の距離Ｄ4との差が、小さくなると、このたるみが小さくなる。この結果、時間Ｔ2が短くなる。
【０１００】
したがって、第２の接続位置Ｐ2がバット３６の回動中心に近づくことは、同じ鍵１２の連打性能の向上の観点から好ましい。
本実施の形態で説明した被案内部材７３は、演奏者がペダル７７を踏み込むと左方へスライドする。演奏者がペダル７７を踏み込むと被案内部材７３が右方へスライドする場合は、本実施の形態のアクション１に対して鏡像となる構成のアクションを考えればよい。
【産業上の利用可能性】
【０１０１】
本発明に係るアップライトピアノのアクションは、アップライトピアノの性能が向上する構造として有用である。
【符号の説明】
【０１０２】
１    アクション
１０    筬
１２    鍵
１４    センターレール
１５    センターレールの段部
１８    ハンマーレール
１９    ハンマーアンダーレール
２１    ウィッペン
２２    ウィッペンフレンジ
２３    ヒール
２４    ブライドルワイヤ
２５    ブライドルテープ
２５ａ、２５ｂ    余り部分
２６    バックチェックワイヤ
２７    バックチェック
３０    ジャック
３１    ジャックテール
３２    突き上げ部
３３    突き上げ部の突端
３３Ｒ    突き上げ部の突端の右側縁
３３Ｌ    突き上げ部の突端の左側縁
３５    第１の集合体
３６    バット
３７    被突き上げ部
３７Ｒ    被突き上げ部の右側縁
３７Ｌ    被突き上げ部の左側縁
３８    キャッチャーシャンク
３９    キャッチャー
４１    バットフレンジ
４４    ハンマー
４５    ハンマーシャンク
４６    ハンマーヘッド
４７    ハンマーウッド
４８    ハンマーフェルト
４８Ｒ    ハンマーフェルトの右側縁
４８Ｌ    ハンマーフェルトの左側縁
５１    弦
５２Ａ、５２Ｂ、５２Ｃ    ピアノ線
５６    支持具
５７Ａ、５７Ｂ    支持具の腕
６０    接続部材
６１Ａ、６１Ｂ    接続部材の腕
６２    接続部材の腕の穴
６７    案内部材
６８    案内部材の溝
６８Ｕ、６８Ｌ    溝の内壁
６９    案内部材の溝の閉塞部
７０    案内部材の溝の縁部
７３    被案内部材
７４    突起
７５    引っ張りバネ
７７    ペダル
７８    底板
７９    天秤
８０    支点
８１    突き上げ棒
ＰA1、ＰA2、ＰB1、ＰB2、ＰB3、ＰC1、ＰC2、ＰC3、ＰC4    ハンマーフェルトがピアノ線を打つ位置
Ｐ1    第１の接続位置
Ｐ2    第２の接続位置
Ｐ3    第１の接触位置
Ｐ4    第２の接触位置
ＬB    ブライドルテープの長さ
Ｌ1    第１の長さ
Ｌ2    第２の長さ
【図１】
0005554410.tif 000002
【図２】
0005554410.tif 000003
【図３】
0005554410.tif 000004
【図４】
0005554410.tif 000005
【図５】
0005554410.tif 000006
【図６】
0005554410.tif 000007
【図７】
0005554410.tif 000008
【図８】
0005554410.tif 000009